(57)【要約】【課題】  扉開閉時に軋み恩や、案内レールに弛みが生じたら、案内レールの高さ位置の補正を簡単に済ませたい。  【解決手段】  工作機械用扉３の戸車７ａが滑走する横Ｌ字型の摺動案内レール６ａの高さ位置微調整を、偏心プレート４０ａを貫通させた固定ボルト４０ｂを備えるレールの撓み補正装置４０で行う。【選択図】  図６
2013013963.tif 000002
【特許請求の範囲】
【請求項１】
工作機械用扉の戸車（７ａ）が滑走する横Ｌ字型の摺動案内レール（６ａ）を逆横Ｌ字型のレール支持板（２６）の一端（２６ａ）側に複数の固定ボルト（３０）で支持し、この逆横Ｌ字型のレール支持板（２６）の他端（２６ｂ）を機枠に取り付けられたカバー装置の後ろ板（１ａ２）に複数の固定ボルト（２９）で支持し、前記逆横Ｌ字型のレール支持板（２６）の他端（２６ｂ）底面に接する偏心プレート（４０ａ）を貫通させた固定ボルト（４０ｂ）を備えるレールの撓み補正装置（４０）複数を前記複数の固定ボルト（２９）の直下に配置して前記カバー装置の後ろ板（１ａ２）にネジ廻し固定した構造を採る摺動案内レールの撓み補正装置（４０）であって、
摺動案内レール（６ａ）の軋み、または、撓みを補正するときは、レール補正場所の上記固定ボルト（２９）を緩めてからレールの撓み補正装置（４０）の固定ボルト（４０ｂ）をネジ廻しして偏心プレート（４０ａ）が逆横Ｌ字型のレール支持板（２６）の他端（２６ｂ）底面に当接する位置を補正し、次いで、前記固定ボルト（２９）を締めてカバー装置の後ろ板（１ａ２）への緊結を堅くする、
ことを特徴とする、工作機械用扉の摺動案内レールの撓み補正装置。
【発明の詳細な説明】
【技術分野】
【０００１】
本発明は、研削装置、切削装置、旋盤、フライスカッター、マニシングセンター等の工作機械にワーク加工時のクーラントや切粉の飛散防止並びに作業者への安全性を確保するために工作機械の前面壁に設けられる開閉扉の摺動案内レールを、機枠後部カバー板へ固定する構造に関わる。特に、扉がこの摺動案内レール上を長期に亘って滑走利用されたときにレールに軋みや撓みが生じ、扉の滑走がスムーズに行われなかったり、扉がレール上から外れてしまうのを防ぐため、定期的にこのレールの軋みや撓みを補正することが容易な摺動案内レールの撓み補正装置に関する。
【背景技術】
【０００２】
工作機械の密閉カバー装置としては、実用新案登録第２５１３７７３号明細書（特許文献１）に示されるように、前面に左右一対の扉によって開閉される開口部を有し、天板と両側面壁とによって軸頭前方のワーク加工テーブル上を覆う工作機械のカバーにおいて、前記両側面壁の前方を上方から見てくの字状に屈曲した壁面に形成し、前記屈曲面と略同角度で２面が屈曲し、その１面が前記開口部の半分の面積を塞ぐ左右一対の扉と、カバー本体の前記開口部から側面壁に渡る下方または上方に設置され前記扉をカバー本体の屈曲面に沿って案内するガイドレールと、カバー本体の前面の上方または下方設置され前記扉の上方または下方を支持する支持レールとを備えた工作機械用カバーが提案されており、前記扉の摺動案内装置として、円弧状の頭頂部を有する棒状ガイドレールの側面をＬ字型折り曲げ加工された板金にボルトで固定し、前記棒状ガイドレールの円弧状の頭頂部に嵌合する凹状外周縁部を有する戸車を前記扉の背後面に軸受けスリーブで固定した摺動案内装置が提案されている。上記戸車は、前記棒状ガイドレールの円弧状の頭頂部を滑走することにより扉の開閉が行われる。この特許文献１の図３に開示される開閉扉の摺動案内レールは、戸車（ローラ）７ａが滑走する摺動案内レール６ａが横Ｌ字型のレール支持板に支持され、そのＬ字型一端が機枠に取り付けられるカバー装置に固定ボルト複数で固定された構造を採る。
【０００３】
また、特開平１０−３４４９２号公報（特許文献２）は、図７に示すように、Ｖ谷状の外周縁を有する戸車２５を懸架部にボルト締めし、戸の背面にＵ字異形レール２７と内側脚部を溶接した逆Ｖ字状頭頂頭を有する案内レール２４，２６よりなる戸の案内装置を開示する。この特許文献２においても扉の摺動案内レールは、戸車（ローラ）２５が滑走する摺動案内レール６ａが横Ｌ字型のレール支持板２６に支持され、そのＬ字型一端が機枠に取り付けられるカバー装置のバックプレート１９に固定ボルト２９複数で固定された構造を採る。引き戸１３は、引き戸１３上部に設けられた戸車２５が摺動案内レール６ａ上を滑走することにより開閉される。
【０００４】
さらに、特開平６−８１０２号公報（特許文献３）は、図８に示すように、ドア（扉）３および４の上端部にスリット６ｅおよび７ｅを有したブラケット６および７をそれぞれ配設し、前記ドア３は、ブラケット６に設けられたローラ対６ｃ，６ｃおよび６ｄ，６ｄを介して、またドア４はブラケット７に設けられたローラ対７ｃ，７ｃおよび７ｄ，７ｄを介してガイドレール２に支承され、前記ブラケット６の一方のローラ対６ｄ，６ｄがブラケット７のスリット７ｅを貫通してレール２に接しており、ドア３，４がレール２に沿って移動することができるドア装置を提案する。
【先行技術文献】
【特許文献】
【０００５】
【特許文献１】実用新案登録第２５１３７７３号明細書の図３
【特許文献２】特開平１０−３４４９２号公報の図２
【特許文献３】特開平６−８１０２号公報の図１、図２
【発明の概要】
【発明が解決しようとする課題】
【０００６】
上記特許文献１および２記載の工作機械用扉の摺動案内レールのカバーフレームへの取り付け方法では、この摺動案内レールが長時間に亘って使用されたときに生じる軋みや撓みが原因で扉の開閉に軋みが生じて滑走し難たくなり、もしくは、工作機械用扉が案内レールより外れてしまうことがある。特許文献３記載のドア装置では、ドアの戸車をレールに取り付けるにレールの高さ位置の修正作業が大変である。
【０００７】
本発明は、かかる摺動案内レールに軋みや撓みが生じたときのレール位置補正を容易になすことができる摺動案内レールの撓み補正装置を提供するものである。
【課題を解決するための手段】
【０００８】
本発明の請求項１は、工作機械用扉（３）の戸車（７ａ）が滑走する横Ｌ字型の摺動案内レール（６ａ）を逆横Ｌ字型のレール支持板（２６）の一端（２６ａ）側に複数の固定ボルト（３０）で支持し、この逆横Ｌ字型のレール支持板（２６）の他端（２６ｂ）を機枠に取り付けられたカバー装置（１ａ）の後ろ板（１ａ２）に複数の固定ボルト（２９）で支持し、前記逆横Ｌ字型のレール支持板（２６）の他端（２６ｂ）底面に接する偏心プレート（４０ａ）を貫通させた固定ボルト（４０ｂ）を備えるレールの撓み補正装置（４０）複数を前記複数の固定ボルト（２９）の直下に配置して前記カバー装置の後ろ板（１９）にネジ廻し固定した構造を採る摺動案内レールの撓み補正装置（４０）であって、
摺動案内レール（６ａ）の軋み、または、撓みを補正するときは、レール補正場所の上記固定ボルト（２９）を緩めてからレールの撓み補正装置（４０）の固定ボルト（４０ｂ）をネジ廻しして偏心プレート（４０ａ）が逆横Ｌ字型のレール支持板（２６）の他端（２６ｂ）底面に当接する位置を補正し、次いで、前記固定ボルト（２９）を締めてカバー装置の後ろ板（１ａ２）への緊結を堅くする、
ことを特徴とする工作機械用扉の摺動案内レールの撓み補正装置（４０）を提供するものである。
【発明の効果】
【０００９】
摺動案内レールの撓み補正装置（４０）を工作機械のカバー装置（１９）に取り付けたことにより摺動案内レール（６ａ）の軋みや撓みの補正が機上で容易に実施することができる。また、工作機械用扉の戸車（７ａ）を横Ｌ字型の摺動案内レール（６ａ）に装架させ、扉（３）の滑走がスムーズにいく位置に摺動案内レール（６ａ）の位置補正を行うのが容易である。
【図面の簡単な説明】
【００１０】
【図１】図１は密閉カバー装置の扉が設けられる側の工作機械の正面図である。
【図２】図２は工作機械の平面図である。
【図３】図３は工作機械の右側面である。
【図４】図４は図３において円で囲った部分の摺動案内レールの撓み補正装置が取り付けられた扉の一部を切り欠いた側面図である。
【図５】図５は、図１において、摺動案内レールの撓み補正装置が取り付けられた部分を示す一部を切り欠いた側面図で、表示画面と操作盤は省かれている。
【図６】図６は摺動案内レールの撓み補正装置の偏心プレートの動きの上昇、中立、下降の３例を示す図である。
【図７】図７は特許文献２に示される摺動案内レールの取り付け構造を示す側面図である。
【図８】図８は特許文献３に示される摺動案内レールの取り付け構造を示す側面図である。
【発明を実施するための形態】
【００１１】
図１、図２および図３に示す工作機械（内面円筒研削盤）１において、１ａは密閉カバー装置、１ａ１は固定カバー板、１ａ２は後ろ板、２は機枠、３は扉、４は数値制御装置、４ａは表示板、６ａは摺動案内レール、７ａは戸車、２６ａは逆横Ｌ字型のレール支持板、４０は案内レールの撓み補正装置である。図１において、長い摺動案内レール６ａは、右側（扉袋側）に設けられた逆横Ｌ字型のレール支持板の主支持板２６ａｒと左側（作業室側）に設けられた逆横Ｌ字型のレール支持板の従支持板２６ａｌとに２分割されている。
【００１２】
図４、図５および図６に示す工作機械の密閉カバー装置１ａにおいて、戸車７ａが滑走する横Ｌ字型の摺動案内レール６ａは、逆横Ｌ字型のレール支持板２６の一端２６ａ側に複数の固定ボルト３０で支持し、この逆横Ｌ字型のレール支持板２６の他端２６ｂは機枠２に取り付けられた密閉カバー装置１ａの後ろ板１ａ２に複数の固定ボルト２９で固定緊結されて支持される。固定ボルト２９の最低数は２個であり、逆横Ｌ字型のレール支持板２６の他端２６ｂの左右両端に取り付けられる。
【００１３】
前記逆横Ｌ字型のレール支持板２６の他端２６ｂ底面には、偏心プレート４０ａのネジ孔４０ａｈを貫通する固定ボルト４０ｂを備える案内レールの撓み補正装置４０の複数を前記複数の固定ボルト２９の直下に全数配置または１から２個抜き置きに配置して前記カバー装置の後ろ板１ａ２に固定ボルト４０ｂをネジ廻しして固定し、偏心プレート４０ａのカム偏心側面をレール支持板２６の他端２６ｂ底面に当接させ、図６において中立の位置に固定する。
【００１４】
案内レールの撓み補正装置４０の据付個数は、複数の固定ボルト２９の直下に全数配置してもよい。また、図示されていないが１から２個抜き置きに配置してもよい。また、図１では逆横Ｌ字型のレール支持板の従支持板２６ａｌ下に取り付けられていないが、この従支持板２６ａｌ下に案内レールの撓み補正装置４０の取り付けを加えてもよい。
【００１５】
図６に示す実施例では、案内レールの撓み補正装置４０の偏心量ｅは、１ｍｍであり、摺動案内レール６ａを最大０．７ｍｍ上昇（ＣＷ）または下降（ＣＣＷ）できる。レール上昇は、固定ボルト４０ｂを右廻りにスパナで廻すことにより行われ、レール下降は固定ボルト４０ｂを左廻りにスパナで廻すことにより行われる。
【００１６】
工作機械を長期稼動させ、扉が案内レール６ａ上を滑走するのが堅くなったときは、固定ボルト２９を緩めた後に、固定ボルト４０ｂを左廻りにスパナで廻すことにより案内レール６ａを下降させ、次いで、前記固定ボルト２９をボルト締めして案内レール６ａを緊結する。
【００１７】
工作機械を長期稼動させ、扉が案内レール６ａ上を滑走するのが緩くなったときは、固定ボルト２９を緩めた後に、固定ボルト４０ｂを右廻りにスパナで廻すことにより案内レール６ａを上昇させ、次いで、前記固定ボルト２９をボルト締めして案内レール６ａを緊結する。
【００１８】
また、工作機械１の密閉カバー装置１ａの案内レール６ａ上に扉３の戸車７ａを架けるとき、戸車７ａを架けるに案内レール６ａ高さ位置が高すぎて架け難いときは、左側の固定ボルト２９を緩めた後に、固定ボルト４０ｂを左廻りにスパナで廻すことにより案内レール６ａを下降させ、次いで、案内レール６ａ上に扉３の戸車７ａを架け、扉の開閉が容
易であることを確認してから前記固定ボルト２９をボルト締めして案内レール６ａを緊結する。
【００１９】
上記案内レール軌道部材６ａ、逆横Ｌ字型のレール支持板２６および偏心プレート４０ａの素材としては、冷間圧延鋼板（ＳＰＣＣ）およびステンレス鋼板（ＳＵＵ３０４）が使用される。案内レール軌道部材６ａ用板金の厚みは１．２〜２．４ｍｍ、逆横Ｌ字型のレール支持板２６および偏心プレート４０ａの厚みは２．４〜４．８ｍｍが好ましい。
【産業上の利用可能性】
【００２０】
摺動案内レールの撓み補正装置４０を工作機械のカバー装置１ａの後ろ板１ａ２に取り付けたことによりレール支持板２６を介して摺動案内レール６ａの高さ位置を微調整することができ、扉開閉時の軋みや撓みの補正が工作機械上で容易に実施することができる。
【符号の説明】
【００２１】
１  工作機械
１ａ  密閉カバー装置
１ａ１  固定カバー板
１ａ２  後ろ板
２  機枠
３  扉
６ａ  摺動案内レール
７ａ  戸車
２６  逆横Ｌ字型のレール支持板
２９  固定ボルト
４０  案内レールの撓み補正装置
４０ａ  偏心プレート
４０ｂ  固定ボルト
４０ａｈ  ネジ孔
【図１】
2013013963.tif 000003
【図２】
2013013963.tif 000004
【図３】
2013013963.tif 000005
【図４】
2013013963.tif 000006
【図５】
2013013963.tif 000007
【図６】
2013013963.tif 000008
【図７】
2013013963.tif 000009
【図８】
2013013963.tif 000010